(57)【特許請求の範囲】
【請求項１】
一端は漁労装備に連結されて他端には締結溝が形成された締結部材と、締結部材の締結溝を露出または収容するように滑走可能であって弾性部材により締結溝を収容する方向に弾力支持される開閉用スリーブを有する漁労装備締結分離装置に連結ロープを結束するためのものであって、
漁労装備締結分離装置の後方部及び漁労装備が載置されて、漁労装備締結分離装置の締結部材後端を支持するように上面に形成された支持台を有する作業盤と、
漁労装備締結分離装置の開閉用スリーブの前端に位置されて、漁労装備締結分離装置の締結部材の締結溝が露出されるようにスリーブを加圧して滑走させる加圧板と、
前記加圧板を駆動するアクチュエータを含むことを特徴とする、漁労装備締結分離装置に連結ロープを結束及び分離するための結束装置。
【請求項２】
前記アクチュエータに平行に配置されてロッドの末端が前記加圧板に固定されて前記アクチュエータの作動時加圧板の移動を案内する案内用シリンダーをさらに含むことを特徴とする、請求項１に記載の漁労装備締結分離装置に連結ロープを結束及び分離するための結束装置。
【請求項３】
前記アクチュエータは、故障に備えて二つ以上が具備されることを特徴とする、請求項１又は２に記載の漁労装備締結分離装置に連結ロープを結束及び分離するための結束装置。
【請求項４】
前記アクチュエータを作動させるためのスイッチは、漁労装備締結分離部材の開閉用スリーブが作業盤に置かれる際、開閉用スリーブに接触されることにより作動されるように前記加圧板の一側に設けられることを特徴とする、請求項１に記載の漁労装備締結分離装置に連結ロープを結束及び分離するための結束装置。
【発明の詳細な説明】
【０００１】
【発明の属する技術分野】
本発明は、例えば本出願人により登録された大韓民国特許第１０−２８５５７８号に開示されたような、漁労装備締結分離装置に連結ロープを容易に結束することができるようにする結束装置に関するものである。
【０００２】
【従来技術及び課題】
通常的にうなぎ、がざみ、たこなどの魚類を捕える漁労作業は、筌、つぼ、魚網などの漁労装備を少なくは数千から多くは数万個を長いロープ（後述する連結ロープとの区別のために以下メインロープと称する）に一定間隔で吊り下げて一定時間海底に沈降させた後、引揚機を用いて引き揚げることにより行なう。引揚機により船舶に引き揚げられた漁労装備は、メインロープから分離された後、作業者により内部に捕獲された魚類が取り出されるようになる。
【０００３】
本出願人は、大韓民国特許第１０−２８５５７８号で漁労装備に固定された状態でメインロープに固定された連結ロープと容易に締結及び分離できる漁労装備締結分離装置を開示した。大韓民国特許第１０−２８５５７８号に開示された漁労装備締結分離装置は、一端は漁労装備に固定されて他端には締結溝が形成された締結部材が開閉用スリーブ内に収容されており、開閉用スリーブは締結部材に沿って長さ方向に滑走可能な構成になっている。開閉用スリーブの滑走により締結部材の締結溝が外部に露出されると、連結ロープが締結溝に挿入されるかまたは締結溝から分離されることができて、連結ロープが締結溝に挿入された状態で開閉用スリーブが滑走して、締結部材の締結溝が開閉用スリーブの内部に収容されると、連結ロープは漁労装備締結分離装置に結束された状態に維持される。
【０００４】
弾性部材により開閉用スリーブは、締結溝がその内部に収容される方向に弾力支持される。従って、海底に沈降された状態で漁労装備は、メインロープの連結ロープに固く結束された状態に維持されることができる。
【０００５】
しかし、漁労装備が海底に沈降された状態で引揚機により引き揚げられる途中または船舶が移動するにつれて、海底で移動される途中障害物により開閉用スリーブが簡単に滑走され、締結部材の締結溝が露出されることを防ぐように開閉用スリーブを弾力支持する弾性部材は非常に強い弾力を有する。
【０００６】
従って、作業者がメインロープの連結ロープを漁労装備締結分離装置に結束または分離するために、締結部材の締結溝が露出されるよう手作業で弾性部材の弾力に対抗し開閉用スリーブを滑走させることは非常に難しく、ただ何個の漁労装備締結分離装置をメインロープに締結または分離する作業を行うだけで作業者はすぐ疲れるようになる。結果的に、数千から数万の漁労装備が締結されるメインロープ全体に対して、漁労装備締結分離装置を連結または分離することは相当な力と時間が所要されることになる。
【０００７】
【発明の目的】
このような点を勘案して案出された本発明は、最小限の力で漁労装備締結分離装置に連結ロープを結束及び分離することができる結束装置（Apparatus for Setting Rope to a Fishing Device Holding and Releasing Apparatus）を提供することにその目的がある。
【０００８】
【課題を解決するための手段】
前記のような目的は、一端は漁労装備に連結されて他端には、締結溝が形成された締結部材と、締結部材の締結溝を露出または収容するように滑走可能であって、弾性部材により締結溝を収容する方向に弾力支持される開閉用スリーブとを有する漁労装備締結分離装置に連結ロープを結束するためのものであって、漁労装備が連結された漁労装備締結分離装置がその上に載置されて、漁労装備締結分離装置の締結部材後端を支持するように上面に形成された支持台を有する作業盤と、漁労装備締結分離装置の開閉用スリーブの前端に位置されて、漁労装備締結分離装置の締結部材の締結溝が露出されるようにスリーブを加圧して滑走させる加圧板と、加圧板を駆動するアクチュエータとを含む発明による結束装置によって達成される。
【０００９】
本発明による漁労装備締結分離装置に連結ロープを結束及び分離することができる結束装置は、アクチュエータに平行に配置されてロッドの末端が作業盤に固定されてアクチュエータの作動時、加圧盤の移動を案内する案内用シリンダーをさらに含む。
【００１０】
また、アクチュエータは故障に備えて二つ以上が具備される。
【００１１】
アクチュエータを作動させるためのスイッチは、漁労装備締結分離部材の開閉用スリーブが作業盤に置かれる際、開閉用スリーブに接触されることにより作動されるように加圧板の一側に設けられる。
【００１２】
【発明の実施の形態】
以下、添付の図面を参照して本発明の望ましい実施例を詳細に説明する。
【００１３】
図１及び図２は、各々本発明の一実施例による漁労装備締結分離装置に連結ロープを結束及び分離することができる結束装置を図示した分解図及び結合図である。漁労装備１０及び漁労装備締結分離装置２０が置かれる作業盤１１０の上面一側に、漁労装備締結分離装置２０の後端、即ち漁労装備締結分離装置２０の締結部材２２と漁労装備１０が連結される部分を支持するための支持台１１２が立てられている。そして、作業盤１１０の下側に一対のアクチュエータ１２０が平行に配列されている。アクチュエータ１２０としては、空圧または油圧シリンダー、ソレノイドなどが使用されるが、費用対比効果の面で空圧シリンダーを使用するのが最も望ましい。実質的に、アクチュエータ１２０は一つだけでも充分その役割を行うことができる。しかし、陸地から遠く離れた海で作業する時、アクチュエータ１２０が故障する場合に備えて対に提供されることが望ましい。
【００１４】
アクチュエータ１２０のロッド１２２の末には、加圧板１４０が設けられている。加圧板１４０は、上端中央部が半円形に窪んで形成されており、この凹部１４２に漁労装備締結分離装置２０の前端部が置かれる。加圧板１４０の上端両側部１４４は、漁労装備締結分離装置２０の前端部が凹部１４２に置かれた時、開閉用スリーブ２４の前端部に接触される。
【００１５】
望ましくは、アクチュエータ１２０の間に案内用シリンダー１３０が設けられる。シリンダー１３０のロッド１３２の末も、アクチュエータ１２０のロッド１２２の末と同様に加圧板１４０に固定されている。この案内用シリンダー１３０は、無動力シリンダーとして、アクチュエータ１２０の作動時ロッド１２２の移動を案内する。
【００１６】
加圧板１４０の凹部１４２下側に、作動スイッチ１５０が設けられている。このスイッチ１５０は、漁労装備締結分離装置２０が凹部１４２に置かれる時、漁労装備締結分離装置２０の前端部下端により押さえられてアクチュエータ１２０を作動させる。望ましくは、スイッチ１５０が一回押さえられた後所定の時間、具体的には作業者が連結ロープ（図３（ｂ）の３２参照）を締結部材２２の締結溝（図３（ｂ）の２３参照）に挿入するか締結溝２３から分離するに充分な時間、例えば０．５秒乃至１秒が経過した後アクチュエータ１２０が再び元の位置に復帰するようにその回路が構成される。
【００１７】
図４は、スイッチの代わりに作動レバー１６０を用いてアクチュエータ１２０を作動させるように構成された本発明の他の実施例を図示する。図４の実施例では、作業者が漁労装備締結分離装置２０を作業盤１１０に置いた後作動レバー１６０を反らすことによりアクチュエータ１２０が作動されて、作業者が漁労装備締結分離装置２０に連結ロープ３２を連結した後再び作動レバー１６０を元位置させることによりアクチュエータ１２０は元の位置に復帰される。
【００１８】
図３（ａ）及び図３（ｂ）は、前述のような構成を有する本発明の一実施例による結束装置の作動状態を説明する図面である。本実施例の図面に図示された漁労装備締結分離装置２０は、作業の便意のために開閉用スリーブ２４の外周面周りに加圧用フランジ２５が形成されているが、必ずこのような形状に限定されるものではなく、例えば本出願人の大韓民国特許第１０−０２８５５７８号の図面に図示された形態のものも使用できる。
【００１９】
先ず、図３（ａ）のように、漁労装備締結分離装置２０が本発明の装置に安着されてない状態で加圧板１４０はロッド１２２により最前方に位置されている。作業のために漁労装備締結分離装置２０及び漁労装備１０が作業盤に安着されると、漁労装備１０、即ち、筌は作業盤１１０の支持台１１２の後方に載置されて漁労装備締結分離装置２０は作業盤１１０の支持台１１２前方に載置される。この際、漁労装備締結分離装置２０の締結部材２２の後端は支持台１１２に接触されるように配置されて、開閉用スリーブ２４の前端部は加圧板１４０の凹部１４２に安着されて凹部１４２両側の加圧板上端１４４が開閉用スリーブ２４の加圧用フランジ２５の前側に位置される。
【００２０】
これと同時に、加圧板１４０の凹部１４２下側に設けられたスイッチ１５０が開閉用スリーブ２４により押さえられる。これにより、一対のアクチュエータ１２０が作動されて加圧板１４０を後方に移動させる。加圧板１４０は、開閉用スリーブ２４が加圧用フランジ２５に接触されて加圧用フランジ２５を後方に加圧する。この際、締結部材２２は、その後端が支持台１１２により支持されているため締結部材２２は固定された状態に維持されて、開閉用スリーブ２４だけが弾性部材の弾力に勝って後方に移動される。これにより、締結部材２２の締結溝２３は露出される。締結溝２３が露出された状態が図３ｂに図示されている。
【００２１】
締結溝２３が露出された状態で、作業者はメインロープ３０の連結ロープ３２を締結溝２３に挿入することができる。所定時間が経過された後、アクチュエータ１２０が元に復帰されるように電気回路が構成された場合、所定時間が経過された後加圧板１４０はアクチュエータ１２０により自動に本来の位置に復帰されて弾性部材の弾力で開閉用スリーブ２４も本来の位置に復帰されることにより、連結ロープ３２が挿入された締結溝２３は、開閉用スリーブ２４の内部に収容される。所定の時間後にアクチュエータ１２０が元に復帰されるように電気回路が構成されていない場合には作業者が別途にスイッチ１５０をオフさせてアクチュエータ１２０を復帰させる。このような過程を経て、連結ロープ３２は漁労装備締結分離装置２０に結束される。
【００２２】
一方、本実施例による結束装置は一対のアクチュエータ１２０を備えているため若しもの場合、一つのアクチュエータ１２０が故障しても他の一つのアクチュエータ１２０で作業を続けることができる。
【００２３】
以上、本発明を特定の望ましい一実施例を通じて記述したが、本発明は前述の実施例に限定されるものではなく、本発明が属する技術分野で通常の知識を有するものにより、特許請求範囲に記載された本発明の技術的範囲から外れることなしに、多様に変形及び変更することができる。
【００２４】
【発明の効果】
前述のように、本発明によるとアクチュエータを利用して開閉用スリーブを滑走させることにより、作業者がほとんど力を入れなくても容易かつ迅速に漁労装備締結分離装置に連結ロープを結束することができる。従って、作業性が格段に向上されるようになる。
【図面の簡単な説明】
【図１】  本発明に係る漁労装備締結分離装置に連結ロープを結束及び分離することができる結束装置の一部分解斜視図である。
【図２】  図１の本発明に係る漁労装備締結分離装置に連結ロープを結束及び分離することができる結束装置の結合状態図である。
【図３】  （ａ）は、図１の本発明による漁労装備締結分離装置に連結ロープを結束及び分離することができる結束装置の作動を説明するためのもので、漁労装備締結装置が装着される直前の状態を図示した断面図であり、（ｂ）は、図１の本発明による漁労装備締結分離装置に連結ロープを結束及び分離することができる結束装置の作動を説明するためのもので、漁労装備締結装置が装着された状態を図示した断面図である。
【図４】  アクチュエータの操作手段としてスイッチの代わりに作動レバーが採用された本発明による漁労装備締結分離装置に連結ロープを結束及び分離することができる結束装置の他の例を図示した斜視図である。
【符号の説明】
１１０      作業盤
１１２      支持台
１２０      アクチュエータ
１２２      ロッド（rod）
１３０      案内用シリンダー
１４０      加圧板
１４２      凹部
１５０      スイッチ
１６０      作動レバー
【図１】
0003663514.tif 000002
【図２】
0003663514.tif 000003
【図３】
0003663514.tif 000004
【図４】
0003663514.tif 000005